(57)【要約】【課題】表示領域を分割する境界を特定できる表示制御装置および表示制御方法を提供する。【解決手段】表示制御装置が、表示部の表示領域を縦横に分割する分割数を記憶する記憶部と、前記表示部の表示領域を縦横に前記分割数に分割する境界を表す目盛りの画像を生成する目盛り生成部と、前記目盛り生成部で生成される目盛りの画像を前記表示領域に表示させる制御部と、を具備する。【選択図】図１
2010072459.tif 000002
【特許請求の範囲】
【請求項１】
表示部の表示領域を縦横に分割する分割数を記憶する記憶部と、
前記表示部の表示領域を縦横に前記分割数に分割する境界を表す目盛りの画像を生成する目盛り生成部と、
前記目盛り生成部で生成される目盛りの画像を前記表示領域に表示させる制御部と、
を具備する表示制御装置。
【請求項２】
画像を入力する入力部と、
前記生成される目盛りの画像の表示の有無を切り換える切換部と、をさらに具備し、
前記切換部での切り換えに対応して、前記制御部が前記入力される画像と前記生成される目盛りの画像とを前記表示部の表示領域に重畳して表示させる
ことを特徴とする請求項１に記載の表示制御装置。
【請求項３】
前記表示部が複数の表示領域を有し、
前記記憶部が前記複数の表示領域の一の表示領域を縦横に分割する分割数を記憶し、
前記生成部が前記一の表示領域を分割する境界を表す目盛りの画像を生成し、
前記制御部が前記生成される目盛りの画像を前記表示部の前記一の表示領域に表示させる
ことを特徴とする請求項１または２に記載の表示制御装置。
【請求項４】
前記目盛りの画像が、前記分割の境界を表す第１の目盛りおよび前記表示領域を２分割する境界を表す第２の目盛りを含むことを特徴とする請求項１乃至３のいずれか１項に記載の表示制御装置。
【請求項５】
前記生成される目盛りの画像が前記表示部の表示領域の周辺に配置される
ことを特徴とする請求項１乃至４のいずれか１項に記載の表示制御装置。
【請求項６】
前記生成される目盛りの画像が格子状である
ことを特徴とする請求項１乃至４のいずれか１項に記載の表示制御装置。
【請求項７】
前記制御部は、前記目盛りを前記表示部の表示領域に一定時間表示させる
ことを特徴とする請求項１乃至６のいずれか１項に記載の表示制御装置。
【請求項８】
表示部の表示領域を縦横に分割する分割数を記憶するステップと、
前記分割数に前記表示領域を分割する境界を表す目盛りの画像を生成するステップと、
前記生成される目盛りの画像を前記表示部の表示領域に表示させるステップと、
を含むことを特徴とする表示制御方法。
【発明の詳細な説明】
【技術分野】
【０００１】
本発明は、外部機器を表示部近傍に配置するための指標となる目盛りを画面上に表示させる表示制御装置および表示制御方法に関する。
【背景技術】
【０００２】
受像機に画像を出力する外部機器は、例えばビデオゲーム機器などからなり、無線リモートコントローラなどで画像出力を操作される。このために、無線信号を検出するセンサを受像機の所定位置に設置する場合がある。このセンサは、画像を表示する受像機の画面の縦および横方向の中央位置に設置されることが多い。
従来では、例えば２画面構成で画面サイズの比率を任意に変更できる画像出力機器が開示されている（特許文献１参照）。この先行技術では、２画面の画面サイズの比率が等しい場合には、画面の中央位置を特定できる。
【特許文献１】特開２００８−８５５４６号公報
【発明の開示】
【発明が解決しようとする課題】
【０００３】
しかしながら、この先行技術では、２画面の画面サイズの比率が変更されると、画面の中央位置の特定が困難になる。
上記に鑑み、本発明は、表示領域を分割する境界を特定できる表示制御装置および表示制御方法を提供することを目的とする。
【課題を解決するための手段】
【０００４】
本発明の一態様に係る表示制御装置は、表示部の表示領域を縦横に分割する分割数を記憶する記憶部と、前記表示部の表示領域を縦横に前記分割数に分割する境界を表す目盛りの画像を生成する目盛り生成部と、前記目盛り生成部で生成される目盛りの画像を前記表示領域に表示させる制御部と、を具備する。
【０００５】
本発明の一態様に係る表示制御方法は、表示部の表示領域を縦横に分割する分割数を記憶するステップと、前記分割数に前記表示領域を分割する境界を表す目盛りの画像を生成するステップと、前記生成される目盛りの画像を前記表示部の表示領域に表示させるステップと、を含む。
【発明の効果】
【０００６】
本発明によれば、表示領域を分割する境界を特定できる表示制御装置および表示制御方法を提供できる。
【発明を実施するための最良の形態】
【０００７】
以下、図面を参照して、本発明の実施の形態を詳細に説明する。
図１は、本発明の第１の実施形態に係る表示制御システム１０を表すブロック図である。表示制御システム１０は、ビデオゲーム機器などからなる画像出力機器１００、受像機２００を具備する。
【０００８】
画像出力機器１００は、後述する複数のセンサ部１０１〜１０４から得られる検出信号に基づいて、画像を出力する。画像出力機器１００は、入力端子２３０を介して受像機２００と電気的に接続される。センサ部１０１〜１０４は、表示部２２０の表示領域２２１の中央位置に配置される（図２参照）。センサ部１０１〜１０４は、例えば人体に取り付けられた無線機から送信される無線信号を検出する。
【０００９】
受像機２００は、表示制御装置２１０、表示部２２０を具備する。受像機２００は、画像出力機器１００から入力した画像の画面を表示する。
表示制御装置２１０は、切換処理部２１１、記憶部２１２、目盛り表示処理部２１３、ＯＳＤ処理部２１４を具備する。
【００１０】
切換処理部２１１は、目盛り表示処理部２１３で生成される目盛りの画像を、表示部２２０の表示領域へ表示させるか否かを判断する。そして、切換処理部２１１は、この表示の有無を切り換える処理を行う。この結果に基づいて、切換処理部２１１は、切り換え指示を表す切換信号を目盛り表示処理部２１３へ入力する。なお、画像出力機器１００から出力される画像を受像機２００に取り込む場合、リモートコントローラなどを用いて、受像機２００の画像入力を切り換える必要がある。この切換処理部２１１は、この受像機２００の入力切換に基づいて、この表示の有無を切り換えても良い。また、切換処理部２１１は、この受像機２００の入力切換そのものを兼ねても良い。切換処理部２１１は、目盛り表示処理部２１３によって生成される目盛りの画像の表示の有無を切り換える切換部として機能する。
【００１１】
記憶部２１２は、表示部２２０の表示領域２２１の画面を縦および横方向に分割する分割数を記憶する。この分割数は、例えばユーザなどが図示しない入力部を用いて、予め入力されて、記憶部２１２に記憶される。この記憶される分割数は、第１の実施形態では、表示領域２２１の画面の横および縦方向とも、例えば同じ「８」であるが、無論異なる値としても良い。記憶部２１２は、表示部２２０の表示領域を縦横に分割する分割数を記憶する記憶部として機能する。記憶部２１２としては、半導体メモリ、磁気ディスク、光ディスクなどが使用できる。
【００１２】
目盛り表示処理部２１３は、切換処理部２１１から切換信号が入力されると、記憶部２１２から得られた縦横の分割数および幅に基づいて、表示部２２０の表示領域２２１の画面を分割する演算処理を行う。目盛り表示処理部２１３は、この演算結果から分割する第１の境界を求め、この第１の境界を表す目盛りの画像を生成する。なお、この画面の縦横の幅は、予め規定された画面の画素数で表される。
【００１３】
さらに、目盛り表示処理部２１３は、表示領域２２１を２分割する演算処理を行う。目盛り表示処理部２１３は、この演算結果から２分割する第２の境界を求め、この第２の境界を表す目盛りの画像を生成する。目盛り表示処理部２１３は、生成した第１および第２の境界を表す目盛りの画像をＯＳＤ処理部２１４へ入力する。目盛り表示処理部２１３は、分割数に表示領域を分割する境界を表す目盛りの画像を生成する目盛り生成部として機能する。なお、２分割する境界を表す目盛りは、ユーザによる認識を容易にするため、例えば他の目盛りよりも長くまたは太く生成しても良いし、他の目盛りと異なる色で生成しても良い。
【００１４】
ＯＳＤ（Ｏｎ  Ｓｃｒｅｅｎ  Ｄｉｓｐｌａｙ）処理部２１４は、目盛り表示処理部２１３から入力する第１および第２の目盛りの画像を表示部２２０に表示させる表示処理を行う。すなわち、ＯＳＤ処理部２１４は、画像出力機器１００から入力される画像と目盛り表示処理部２１３で生成される第１および第２の目盛りの画像とを重畳する。次に、ＯＳＤ処理部２１４は、これら重畳した画像を表示部２２０へ入力して、画像表示させる。ＯＳＤ処理部２１４は、目盛り表示処理部２１３によって生成される目盛りの画像を表示領域に表示させる制御部として機能する。なお、ＯＳＤ処理部２１４は、この他に、例えば表示部２２０の光源の輝度調整、画面のコントラスト調整およびオーディオ音量の調整などを行う機能がある。
【００１５】
表示部２２０は、ＯＳＤ処理部２１４の表示処理に対応して、重畳された画像出力機器１００からの画像と第１および第２の目盛りの画像とを表示する。表示部２２０としては、液晶ディスプレイ、ブラウン管（ＣＲＴ）、プラズマディスプレイなどが使用できる。
【００１６】
図２は、第１の実施形態での表示部２２０の画面構成を表す図である。表示部２２０は、ＯＳＤ処理部２１４の表示処理に対応して、画面の表示領域２２１の周辺に、目盛り表示処理部２１３で生成された目盛りの画像を配置して表示する。この画面構成では、表示領域２２１の横および縦方向を２分割する第２の境界を表す目盛り２２２，２２５を長く表示する。また、分割数「８」に基づいて、表示領域２２１の画面を分割する第１の境界を表す第１の目盛り２２３，２２４，２２６，２２７を表示する。ここでは、偶数番目の第１の目盛り２２３，２２６を長く、奇数番目の第１の目盛り２２４，２２７を、目盛り２２３，２２６より短く表示する。なお、表示領域２２１の中央位置の第１の目盛り２２３，２２６と、第２の目盛り２２２，２２５は重複されるが、第２の目盛り２２２，２２５を優先して表示する。この場合、第２の目盛り２２２，２２５を他の目盛り（第１の目盛り２２３，２２４，２２６，２２７）と異なる色で表示したり、他の目盛りより太く表示することも可能である。
【００１７】
（表示処理動作）
次に、この表示制御装置２１０での目盛り表示処理の動作手順を説明する。図３、図４は、目盛り表示処理の動作手順の一例を表すフロー図である。
【００１８】
初めに、切換処理部２１１は、目盛り表示処理部２１３で生成される目盛りの画像を、表示部２２０の表示領域へ表示させるために、切換信号を目盛り表示処理部２１３へ入力する（ステップＳ１１）。
【００１９】
この切換信号が入力されると、目盛り表示処理部２１３は、記憶部２１２から表示領域２２１の画面の横の分割数ｍおよび幅Ｗを取得する（ステップＳ１２）。目盛り表示処理部２１３は、この横幅Ｗを分割した幅（以下、「分割幅」という）Ａを、式Ａ＝Ｗ／ｍに基づいて計算する（ステップＳ１３）。さらに、横幅Ｗを２分割した分割幅Ｂを、式Ｂ＝Ｗ／２に基づいて計算する（ステップＳ１４）。
【００２０】
次に、目盛り表示処理部２１３は、画面の縦の分割数ｎおよび幅Ｈを取得する（ステップＳ１５）。なお、第１の実施形態では、ｍ＝ｎ＝８である。次に、目盛り表示処理部２１３は、この縦幅Ｈの分割幅Ｃを、式Ｃ＝Ｈ／ｎに基づいて計算する（ステップＳ１６）。次に、縦幅Ｈを２分割した分割幅Ｄを、式Ｄ＝Ｈ／２に基づいて計算する（ステップＳ１７）。次に、目盛り表示処理部２１３は、この計算結果である画面の横の分割幅ＡおよびＢ、画面の縦の分割幅ＣおよびＤに基づいて、第１および第２の目盛り２２２〜２２７の画像を生成する（ステップＳ１８）。この生成した第１および第２の目盛り２２２〜２２７は、ＯＳＤ処理部２１４へ入力される。
【００２１】
次に、ＯＳＤ処理部２１４は、画像出力機器１００から入力される画像と目盛り表示処理部２１３で生成される第１および第２の目盛りの画像とを重畳する（ステップＳ１９）。
【００２２】
次に、ＯＳＤ処理部２１４は、この重畳された画像を表示部２２０へ供給し、画像（目盛りの画像を含んだ画像）を表示させる（ステップＳ２０）。次に、ＯＳＤ処理部２１４は、目盛りの表示から所定秒の間、目盛りの表示を行う（ステップＳ２１）。そして、この所定秒経過後に目盛り表示を終了する（ステップＳ２２）。
【００２３】
以上のように、第１の実施形態に係る表示制御装置では、所定の分割数に表示部の表示領域の画面を分割する境界を表す目盛りの画像を、この表示領域に表示させる。この結果、表示部の表示領域を分割する境界を特定でき、センサ部１０１〜１０４を表示部周辺の所定位置、例えば画面の中央位置に設置できる。
【００２４】
（変形例１）
図５は、第１の実施形態の変形例１での表示部の画面構成を表す図である。第１の実施形態では、分割する境界を表す目盛りの画像を、表示部の表示領域の周辺に配置させたが、本発明はこれに限らない。
【００２５】
第１の実施形態の変形例１では、目盛り表示処理部２１３で生成される目盛りの画像を、ＯＳＤ処理部２１４が表示部２２０の表示領域２３１の画面全体に格子状に表示させる。この場合も、第２の目盛り２３２，２３４を他の目盛り（第１の目盛り２３３，２３５）と異なる色で表示したり、他の目盛りより太く表示することが可能である。
【００２６】
以上のように、変形例１での表示部の画面構成では、表示領域の画面全体に格子状に目盛りの画像を表示する。この結果、例えば表示領域の周辺が暗くて目盛りが認識しにくい場合でも、表示領域を分割する境界をさらに容易に特定でき、センサ部を表示部周辺の所定位置に設置できる。
【００２７】
また、変形例１での表示部の画面構成では、例えば画面内にセンサ部を設置する必要がある場合、格子状の境界およびその接点を指標として、その設置位置を容易に特定できる。
【００２８】
（変形例２）
図６は、第１の実施形態の変形例２での表示部の画面構成を表す図である。図６は、受像機２００の表示部２２０が複数の表示領域を有する場合の画面構成を表す。変形例２では、表示領域のサイズを変更できる、例えば表示領域２４１の主画面と表示領域２５１の副画面の２画面構成の例で、この例では主画面の中央位置は、サイズ変更に伴って変化する。
【００２９】
この変形例２において、目盛り表示処理部２１３が、主画面の切換信号を入力したときに、分割数と表示領域２４１の画面の幅とに基づいて、表示領域２４１を分割する境界を表す目盛りの画像を生成する。次に、ＯＳＤ処理部２１４が、この生成された目盛りの画像を、表示部２２０の表示領域２４１の周辺に表示させる。ここで、２４３，２４５が第１の目盛りで、２４２，２４４が第２の目盛りである。
【００３０】
なお、変形例２では、主画面に目盛りの画像を表示させたが、本発明はこれに限らず、表示領域２５１の副画面に目盛りの画像を表示させることも可能である。この場合には、副画面の選択と切換信号を入力したときに、ＯＳＤ処理部２１４が、生成された目盛りの画像を表示部２２０の表示領域２５１の周辺に表示させる。すなわち、表示領域毎に目盛りの画像を表示させることが可能となる。また、この変形例２は、３画面以上の画面構成の表示部にも応用が可能である。
【００３１】
以上のように、変形例２では、表示部が複数の表示領域を有する場合、一の表示領域を分割する境界を表す目盛りの画像を、この一の表示領域に表示させる。この結果、表示領域のサイズが変更されても、切換信号の入力時にこの表示領域に目盛りの画像を表示でき、この目盛りを指標としてセンサ部を設置しなおすことができる。
【００３２】
なお、この第１の実施形態では、センサ部設置の指標となる目盛りの画像を表示領域に表示させた。しかし、例えば画像出力機器１００などからセンサ部の設置位置を示す情報が入力する場合、表示領域の画面のこのセンサ部の設置位置に直接、指標となるマークなどの画像を表示させることも可能である。この場合には、センサ部の設置位置をさらに容易に特定でき、センサ部の設置を正確に行うことができる。
【００３３】
（第２の実施形態）
図７は、第２の実施形態に係る表示制御システム２０を表すブロック図である。この表示制御システム２０では、外部入力端子３１５と画像出力端子３１６を具備する外部機器を表示制御装置３００とした一例である。この外部機器には、例えば図示しない記憶部を有するレコーダ装置などがある。
【００３４】
表示制御装置３００は、入力端子３１５を介して、画像出力機器１００と電気的に接続される。さらに表示制御装置３００は、出力端子３１６を介して、受像機４００と電気的に接続される。受像機４００は、図示しない表示部を具備する。
【００３５】
記憶部３１２は、受像機４００が具備する表示部の表示領域の画面を縦横に分割する分割数および幅を記憶する。目盛り表示処理部３１３は、この分割数と幅に基づいて、表示部の表示領域を分割する境界を表す第１および第２の目盛りの画像を生成する。ＯＳＤ処理部３１４は、画像出力機器１００から入力される画像と目盛り表示処理部３１３で生成される第１および第２の目盛りの画像とを重畳する。次に、ＯＳＤ処理部３１４は、この重畳した画像を受像機４００へ供給し、目盛りの画像を表示させる。
【００３６】
この第２の実施形態に係る表示制御システム２０でも、第１の実施形態と同様に、表示部の表示領域を分割する境界を特定でき、センサ部を表示部周辺の所定位置に設置できる。
【００３７】
また、この第２の実施形態では、受像機４００が故障しても、表示制御装置３００はそのままで受像機４００のみを単体で交換でき、交換された受像機４００が具備する表示部の表示領域に、この表示領域を分割する境界を表す目盛りを表示させることができる。この結果、機器の交換を容易にするとともに、交換時のコストを削減できる。
【００３８】
（その他の実施形態）
本発明の実施形態は上記の実施形態に限られず拡張、変更可能であり、拡張、変更した実施形態も本発明の技術的範囲に含まれる。
【図面の簡単な説明】
【００３９】
【図１】第１の実施形態に係る表示制御システムを表すブロック図である。
【図２】第１の実施形態での表示部の画面構成を表す図である。
【図３】第１の実施形態に係る表示制御装置の目盛り表示処理の動作手順の一例を表すフロー図である。
【図４】同じく、目盛り表示処理の動作手順の一例を表すフロー図である。
【図５】第１の実施形態の変形例１での表示部の画面構成を表す図である。
【図６】第１の実施形態の変形例２での表示部の画面構成を表す図である。
【図７】第２の実施形態に係る表示制御システムを表すブロック図である。
【符号の説明】
【００４０】
１０，２０…表示制御システム、１００…画像出力機器、１０１〜１０４…センサ部、２００，４００…受像機、２０５，３１５…入力端子、２１０，３００…表示制御装置、２１１…切換処理部、２１２，３１２…記憶部、２１３，３１３…目盛り表示処理部、２１４，３１４…ＯＳＤ処理部、２２０…表示部、２２１，２３１，２４１，２５１…表示領域、３１６…出力端子、ｍ，ｎ…分割数
【図１】
2010072459.tif 000003
【図２】
2010072459.tif 000004
【図３】
2010072459.tif 000005
【図４】
2010072459.tif 000006
【図５】
2010072459.tif 000007
【図６】
2010072459.tif 000008
【図７】
2010072459.tif 000009
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
複数の表示領域を有する表示部と、
前記複数の表示領域から一の表示領域を選択する選択部と、
前記選択される一の表示領域を縦横に分割する分割数を記憶する記憶部と、
中央位置合わせのため前記一の表示領域を縦横に前記分割数に分割する境界を表す目盛りの画像を生成する目盛り生成部と、
前記目盛り生成部で生成される目盛りの画像を前記表示部の前記一の表示領域の周辺に識別可能に表示させる制御部と、
を具備する表示制御装置。
【請求項２】
表示部の表示領域を縦横に分割する分割数を記憶する記憶部と、
前記表示部の表示領域を縦横に前記分割数に分割する境界を表す第１の目盛りの画像および中央位置合わせのため前記表示領域を２分割する境界を表す第２の目盛りの画像をそれぞれ生成する目盛り生成部と、
前記目盛り生成部で生成される第１および第２の目盛りの画像を前記表示領域の周辺に識別可能に表示させる制御部と、
を具備する表示制御装置。
【請求項３】
表示部の表示領域を縦横に分割する分割数を記憶する記憶部と、
中央位置合わせのため前記表示部の表示領域を縦横に前記分割数に分割する境界を表す目盛りの画像を生成する目盛り生成部と、
前記目盛り生成部で生成される目盛りの画像を前記表示部の表示領域の周辺に識別可能に表示させる制御部と、
を具備する表示制御装置。
【請求項４】
画像を入力する入力部と、
前記生成される目盛りの画像の表示の有無を切り換える切換部と、をさらに具備し、
前記切換部での切り換えに対応して、前記制御部が前記入力される画像と前記生成される目盛りの画像とを前記表示領域に重畳して表示させる
ことを特徴とする請求項１乃至３のいずれか１項に記載の表示制御装置。
【請求項５】
前記表示部が複数の表示領域を有し、
前記複数の表示領域から一の表示領域を選択する選択部を、
さらに具備し、
前記記憶部が前記選択される一の表示領域を縦横に分割する分割数を記憶し、
前記目盛り生成部が前記一の表示領域を分割する境界を表す目盛りの画像を生成し、
前記制御部が前記生成される目盛りの画像を前記表示部の前記一の表示領域に表示させる
ことを特徴とする請求項２乃至４のいずれか１項に記載の表示制御装置。
【請求項６】
前記目盛りの画像が、前記分割の境界を表す第１の目盛りおよび前記中央位置合わせのため前記表示領域を２分割する境界を表す第２の目盛りを含む
ことを特徴とする請求項１，３乃至５のいずれか１項に記載の表示制御装置。
【請求項７】
前記生成される目盛りの画像が格子状である
ことを特徴とする請求項１乃至６のいずれか１項に記載の表示制御装置。
【請求項８】
前記制御部は、前記生成される目盛りを前記表示部の表示領域に一定時間表示させる
ことを特徴とする請求項１乃至７のいずれか１項に記載の表示制御装置。
【請求項９】
前記制御部は、前記生成される目盛りの画像の線長、線幅および色の少なくとも１つを変化させて識別可能に表示させる
ことを特徴とする請求項１乃至８のいずれか１項に記載の表示制御装置。
【請求項１０】
前記第２の目盛りが位置変更可能なセンサ部を前記中央位置に合わせるための目盛である
ことを特徴とする請求項２，４乃至９のいずれか１項に記載の表示制御装置。
【手続補正２】
【補正対象書類名】明細書
【補正対象項目名】０００４
【補正方法】変更
【補正の内容】
【０００４】
本発明の一態様に係る表示制御装置は、複数の表示領域を有する表示部と、前記複数の表示領域から一の表示領域を選択する選択部と、前記選択される一の表示領域を縦横に分割する分割数を記憶する記憶部と、中央位置合わせのため前記一の表示領域を縦横に前記分割数に分割する境界を表す目盛りの画像を生成する目盛り生成部と、前記目盛り生成部で生成される目盛りの画像を前記表示部の前記一の表示領域の周辺に識別可能に表示させる制御部と、を具備する。
また、本発明の一態様に係る表示制御装置は、表示部の表示領域を縦横に分割する分割数を記憶する記憶部と、前記表示部の表示領域を縦横に前記分割数に分割する境界を表す第１の目盛りの画像および中央位置合わせのため前記表示領域を２分割する境界を表す第２の目盛りの画像をそれぞれ生成する目盛り生成部と、前記目盛り生成部で生成される第１および第２の目盛りの画像を前記表示領域の周辺に識別可能に表示させる制御部と、を具備する。
また、本発明の一態様に係る表示制御装置は、表示部の表示領域を縦横に分割する分割数を記憶する記憶部と、中央位置合わせのため前記表示部の表示領域を縦横に前記分割数に分割する境界を表す目盛りの画像を生成する目盛り生成部と、前記目盛り生成部で生成される目盛りの画像を前記表示部の表示領域の周辺に識別可能に表示させる制御部と、を具備する。
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
複数の表示領域から一の表示領域を選択する選択部と、
前記選択される一の表示領域を縦横に分割する分割数を記憶する記憶部と、
前記一の表示領域を縦横に前記分割数に分割する境界を表す第１の目盛りの画像および中央位置合わせのため前記一の表示領域を２分割する境界を表す第２の目盛りの画像をそれぞれ生成する目盛り生成部と、
画像を入力する入力部と、
前記生成される目盛りの画像の表示の有無を切り換える切換部と、
前記切換部での切り換えに対応して、前記入力される画像と前記生成される第１および第２の目盛りの画像とを前記一の表示領域に重畳し、かつ前記生成される第１および第２の目盛りの画像を前記一の表示領域の周辺に識別可能に表示させる制御部と、
を具備することを特徴とする表示制御装置。
【請求項２】
前記複数の表示領域を有する表示部を
さらに具備することを特徴とする表示制御装置。
【請求項３】
前記生成される目盛りの画像が格子状である
ことを特徴とする請求項１または２記載の表示制御装置。
【請求項４】
前記制御部は、前記生成される目盛りを前記表示部の表示領域に一定時間表示させる
ことを特徴とする請求項１乃至３のいずれか１項に記載の表示制御装置。
【請求項５】
前記制御部は、前記生成される目盛りの画像の線長、線幅および色の少なくとも１つを変化させて識別可能に表示させる
ことを特徴とする請求項１乃至４のいずれか１項に記載の表示制御装置。
【請求項６】
前記第２の目盛りが位置変更可能なセンサ部を前記中央位置に合わせるための目盛である
ことを特徴とする請求項１乃至５のいずれか１項に記載の表示制御装置。
【手続補正２】
【補正対象書類名】明細書
【補正対象項目名】０００４
【補正方法】変更
【補正の内容】
【０００４】
本発明の一態様に係る表示制御装置は、複数の表示領域から一の表示領域を選択する選択部と、前記選択される一の表示領域を縦横に分割する分割数を記憶する記憶部と、前記一の表示領域を縦横に前記分割数に分割する境界を表す第１の目盛りの画像および中央位置合わせのため前記一の表示領域を２分割する境界を表す第２の目盛りの画像をそれぞれ生成する目盛り生成部と、画像を入力する入力部と、前記生成される目盛りの画像の表示の有無を切り換える切換部と、前記切換部での切り換えに対応して、前記入力される画像と前記生成される第１および第２の目盛りの画像とを前記一の表示領域に重畳し、かつ前記生成される第１および第２の目盛りの画像を前記一の表示領域の周辺に識別可能に表示させる制御部と、を具備する。